(57)【特許請求の範囲】
【請求項１】
携帯電話機の適宜の位置に設けられた一つのキーボタンの押下操作によって入力可能な複数のキー入力パターンを、発呼動作のための一つまたは複数のコマンドおよび０〜９の数値と対応させて設定しておき、前記設定されたキー入力パターンを前記キーボタンの押下操作により入力することによって、任意の電話番号に対して発呼動作させる携帯電話機のダイヤル発呼方法であって、
前記キーボタンの押下時間が予め設定した時間以下であれば“０”、予め設定した時間以上であれば“１”と判定することにより得られた時系列情報を基にして、前記複数のキー入力パターンのいずれが入力されたかを判別することを特徴とする携帯電話機のダイヤル発呼方法。
【請求項２】
携帯電話機の適宜の位置に設けられた二つのキーボタンの押下操作によって入力可能な複数のキー入力パターンを、発呼動作のための一つまたは複数のコマンドおよび０〜９の数値と対応させて設定しておき、前記設定されたキー入力パターンを前記キーボタンの押下操作により入力することによって、任意の電話番号に対して発呼動作させる携帯電話機のダイヤル発呼方法であって、
前記二つのキーボタンの一方が押下されれば“０”、他方が押下されれば“１”と判定することにより得られた時系列情報を基にして、前記複数のキー入力パターンのいずれが入力されたかを判別することを特徴とする携帯電話機のダイヤル発呼方法。
【請求項３】
前記コマンドが、ダイヤル発信であるときには、該コマンドに続いてキー入力された電話番号に対して発呼動作を行うことを特徴とする請求項１または２に記載の携帯電話機のダイヤル発呼方法。
【請求項４】
前記コマンドが、メモリダイヤル発信であるときには、該コマンドに続いてキー入力された登録番号からメモリダイヤル記憶部を参照し、該当する電話番号を検索して発呼動作を行うことを特徴とする請求項１または２に記載の携帯電話機のダイヤル発呼方法。
【請求項５】
前記キー入力された電話番号または前記検索された電話番号に対応する確認用パルス音を発生し、該確認用パルス音に対するダイヤル発信許可信号を示す前記キー入力パターンを受けた後に発呼動作を行うことを特徴とする請求項３または４に記載の携帯電話機のダイヤル発呼方法。
【請求項６】
携帯電話機の適宜の位置に設けられた一つのキーボタンと、
発呼動作を行うための一つまたは複数のコマンド及び０〜９の数値を前記キーボタンの押下操作によって入力可能なキー入力パターンと対応付けて記憶するコマンド記憶部と、
前記キーボタンの押下時間が予め設定した時間以下であれば“０”、予め設定した時間以上であれば“１”とする時系列情報をキー入力パターン情報として一時記憶する押下パターン記憶部と、
前記押下パターン記憶部に蓄えられた情報から、キー入力パターンを解析する押下パターン解析手段と、
解析された前記キー入力パターンと前記コマンド記憶部に記憶されている情報との一致判定を行うことにより携帯電話機へのコマンドとダイヤル番号とに分離するパターン検索手段と
前記パターン検索手段の検索結果に基づいて発呼動作を行う発呼制御手段と
を備えていることを特徴とする携帯電話機。
【請求項７】
携帯電話機の適宜の位置に設けられた二つのキーボタンと、
発呼動作を行うための一つまたは複数のコマンド及び０〜９の数値を前記二つのキーボタンの押下操作によって入力可能なキー入力パターンと対応付けて記憶するコマンド記憶部と、
前記二つのキーボタンの一方が押下されれば“０”、他方が押下されれば“１”とする時系列情報をキー入力パターン情報として一時記憶する押下パターン記憶部と、
前記押下パターン記憶部に蓄えられた情報から、キー入力パターンを解析する押下パターン解析手段と、
解析された前記キー入力パターンと前記コマンド記憶部に記憶されている情報との一致判定を行うことにより携帯電話機へのコマンドとダイヤル番号とに分離するパターン検索手段と
前記パターン検索手段の検索結果に基づいて発呼動作を行う発呼制御手段と
を備えていることを特徴とする携帯電話機。
【請求項８】
前記パターン検索手段は、前記コマンドがダイヤル発信であると判定したときには、該コマンドに続いてキー入力された電話番号を前記発呼制御手段に出力することを特徴とする請求項６または７に記載の携帯電話機。
【請求項９】
前記パターン検索手段は、前記コマンドがメモリダイヤル発信であると判定したときには、該コマンドに続いてキー入力された登録番号からメモリダイヤル記憶部を参照することにより、該当する電話番号を検索して前記発呼制御手段に出力することを特徴とする請求項６または７に記載の携帯電話機。
【請求項１０】
前記発呼制御手段は、前記キー入力された電話番号または前記検索された電話番号に対応する確認用パルス音を付属の音響発生部を介して発生する手段と、該確認用パルス音に対するダイヤル発信許可信号を示す前記キー入力パターンを受けた後に発呼動作を行う手段を有していることを特徴とする請求項８または９に記載の携帯電話機。
【請求項１１】
前記キーボタンは、前記携帯電話機のテンキーを含む操作ボタンが配置された筐体表面とは異なる位置に設けられていることを特徴とする請求項６〜１０のいずれか１項に記載の携帯電話機。
【請求項１２】
前記キーボタンは、前記携帯電話機に付属するハンズフリーセットまたはヘッドセットに設けられていることを特徴とする請求項６〜１０のいずれか１項に記載の携帯電話機。
【発明の詳細な説明】
【０００１】
【発明の属する技術分野】
本発明は、携帯電話機における操作制御方法に関し、特に、発呼操作及び相手先電話番号のダイヤル発信制御方法に関する。
【０００２】
【従来の技術】
従来、携帯電話機から発呼する場合、携帯電話機のキー操作部に配置された発呼キー、テンキー等によって発呼操作及び相手先電話番号を入力する方法、あるいは内蔵している記憶装置に予め相手先電話番号を登録しておき、ワンタッチキー操作により発呼制御する方法などにより行われ、キー入力操作に伴って携帯電話機の表示部に表示されるメニュー画面あるいは相手先電話番号を確認しながら所望の相手先電話番号をダイヤリングすることにより発呼される。
【０００３】
一方、着信の場合は、携帯電話機のキー操作部に配置されたフックオフキーを操作して応答する方法、あるいは携帯電話機本体と有線あるいは無線により接続され、フックオフ用のキーボタンおよび送受話器を備えたハンズフリーセット或いはヘッドセットを用いて応答することにより、携帯電話機本体がケースやポケットに収納された状態でも応答できるようにする方法がある。
【０００４】
図８は、従来の携帯電話機の構成例を示しており、図８（Ａ）のようなフリップ機構を有する携帯電話機７では、フリップ７２を閉じた状態のときには、着呼動作用キー入力部７０および発呼動作用キー入力部７１の限られた数のキーボタンのみが使用可能となっている。そして、キー入力部７０による着呼動作と、キー入力部７１にあらかじめ割り当てられ、内部メモリに登録された限定されたメモリダイヤルの相手に対して発呼できるように構成されている。
【０００５】
また、図８（Ｂ）は、折り畳み型の携帯電話機８に、キーボタン８１が付いたハンズフリーセット８０を接続した従来例を示しており、携帯電話機８に着信があった場合、キーボタン８１によりフックオフ操作を行い、ハンズフリーセット８０に備えられている送受話器を用いて相手と通話することにより、携帯電話機８が折り畳まれた状態でケースやポケットに収納されていても着呼動作させることができる構成となっている。
【０００６】
【発明が解決しようとする課題】
このように、フックオフ用のキーボタンおよび送受話器を備えたハンズフリーセット或いはヘッドセット付の携帯電話機では、着呼動作の場合は、携帯電話機本体がケースやポケットに収納された状態あるいは折り畳まれた状態であっても、このハンズフリーセット或いはヘッドセットを用いることにより相手との通話が可能であるが、発呼動作を行う場合は、携帯電話機本体をケースやポケットから取り出し、あるいは二つに折り畳まれている携帯電話機本体を開いて、携帯電話機のキー操作部に配置されたキーを用いてダイヤル操作を行う必要があり、携帯電話機本体をケースやポケットに収納した状態あるいは折り畳んだ状態で発呼動作させることができなかった。
【０００７】
また、従来のフリップ機構を有する携帯電話機７では、フリップ７２を閉じた状態のまま発呼動作させることも可能であるが、発呼用キー入力部７１にあらかじめ割り当てられた、限定されたメモリダイヤルの相手にしか発呼させることができず、任意の電話番号に対して発呼動作させることはできないという問題がある。
【０００８】
本発明の目的は、上記問題点に鑑み、限られた一つあるいは２つのキーボタンを使用するだけで、任意の電話番号に対して発呼動作させることが可能な携帯電話機を提供することにある。
【０００９】
本発明の他の目的は、携帯電話機本体をケースやポケットに入れたままの状態、あるいは折り畳まれた状態であっても、任意の電話番号に対して発呼動作させることが可能な携帯電話機を提供することにある。
【００１０】
【課題を解決するための手段】
本発明のダイヤル発呼方法は、携帯電話機の適宜の位置に設けられた一つまたは二つのキーボタンの押下操作によって入力可能な複数のキー入力パターンを、発呼動作のための一つまたは複数のコマンドおよび０〜９の数値と対応させて設定しておき、前記設定されたキー入力パターンを前記キーボタンの押下操作により入力することによって、任意の電話番号に対して発呼動作させることを特徴とする。
【００１１】
本発明の携帯電話機は、該携帯電話機の適宜の位置に設けられた一つまたは二つのキーボタンと、発呼動作を行うための一つまたは複数のコマンド及び０〜９の数値を前記キーボタンの押下操作によって入力可能なキー入力パターンと対応付けて記憶するコマンド記憶部と、前記キーボタンの押下操作によるキー入力パターン情報を一時記憶する押下パターン記憶部と、前記押下パターン記憶部に蓄えられた情報から、キー入力パターンを解析する押下パターン解析手段と、解析された前記キー入力パターンと前記コマンド記憶部に記憶されている情報との一致判定を行うことにより携帯電話機へのコマンドとダイヤル番号とに分離するパターン検索手段と、該パターン検索手段の検索結果に基づいて発呼動作を行う発呼制御手段を備えていることを特徴とする。
【００１２】
【発明の実施の形態】
図１は、本発明の実施形態を示す概略図であり、折り畳み型の携帯電話機１０の側面に発呼動作用のキーボタン１１を設けた例を示している。また、図２は、本実施形態における携帯電話機のブロック図である。なお、携帯電話機１０の折り畳まれた筐体面には通常の電話操作用のテンキー及び各種キー及び表示画面が配置されており、この二つに折り畳まれている携帯電話機本体を開いてテンキーから直接ダイヤル番号を入力して発呼することも可能である。
【００１３】
本実施形態は、キーボタン等の入力手段１と、プログラム制御により携帯電話機全体の動作を制御するデータ処理装置２と、情報を記憶する記憶装置３と、レシーバーやスピーカ等の出力手段４と、基地局との間でデータの送受信を実現する無線装置５とを含む。
【００１４】
記憶装置３は、コマンド記憶部３１と、押下パターン記憶部３２とを備えている。コマンド記憶部３１は、携帯電話機へのコマンド入力となるキー押下パターンをあらかじめ記憶している。押下パターン記憶部３２は、入力手段１から入力されたキー入力情報を一時的に記憶するための領域である。
【００１５】
データ処理装置２には、本発明の特徴とする押下パターン解析手段２１と、パターン検索手段２２とが備えられている。押下パターン解析手段２１は、押下パターン記憶部３２に記憶されたキー入力情報に、時系列情報を基にして区切り情報を加え、キー押下パターンへとデータ変換を実施する。パターン検索手段２２は、押下パターン解析手段２１が生成したキー押下パターンをキーにして、コマンド記憶部３１に記憶された情報を検索する。
【００１６】
図３は、本実施形態の動作を示すフローチャートである。以下、図１〜図３を参照して本実施例の動作について詳細に説明する。
【００１７】
携帯電話機１０のキーボタン１１（入力手段１）から与えられたキー入力情報は押下パターン記憶部３２に記憶される。ここに入力される情報は、キーの押下状態が電気的に変換されたもので、キーが押下されないとき“Ｈ”，押下されたとき“Ｌ”の電気的なレベルによって表される時系列情報、あるいは、キーボタン１１の押下時間が例えば０．５秒以下であれば“０”、０．５秒以上であれば“１”とする時系列情報として記憶される。押下パターン記憶部３２に記憶された情報は、押下パターン解析手段２１において呼び出される。
【００１８】
押下パターン解析手段２１では、呼び出した情報からキー入力パターンを抽出し、コマンド部とデータ部に分類する（ステップＡ１）。パターン検索手段２２は、押下パターン解析手段２１において抽出されたコマンド入力パターンをキーとしてコマンド記憶部３１に同一パターンが記憶されているかどうか検索を実施する（ステップＡ２）。
【００１９】
検索した結果、コマンド記憶部３１に一致するパターンが見つからなかった場合には、その情報を破棄し、次のコマンドパターンを新たなキーとして再検索を実施する（ステップＡ３）。一方、一致するパターンが見つかった場合には、データ処理装置２にて、その後に続くキー押下パターンをダイヤル番号として生成する（ステップＡ４）。
【００２０】
このとき、操作者のキー入力に誤りが無かったことを確認するため、出力手段４から確認音を出力する（ステップＡ５）。出力される確認音は、たとえば電話番号をパルス音として出力することで実現する。出力手段４からの確認要求に対し、操作者は確認操作を実施する。たとえば、確認操作として、入力手段１より、ダイヤル発信許可の通知パターンを入力すること等で実現する（ステップＡ６）。ダイヤル発信許可の条件が整った場合、携帯電話機の制御部は、無線装置５を制御してダイヤル発信を実施する（ステップＡ７）。
【００２１】
図４は、本実施形態の実施例を示している。以下、図４の実施例を参照して本発明の動作を詳細に説明する。
【００２２】
入力手段１からの入力情報Ｂ１は、“Ｈ”，“Ｌ”のレベル情報Ｂ２として押下パターン記憶部３２に記憶される。レベル情報Ｂ２は、押下パターン解析手段２１により、コマンド“１”とデータ“１２３４”に分離される（ステップＡ１）。パターン検索手段２２は、コマンド“１”をキーとして、コマンド記憶部３１を検索する（ステップＡ２）。検索した結果、コマンド記憶部３１には、コマンド“１”がダイヤル発信というコマンドとして登録されている結果を得る（ステップＡ３）。
【００２３】
データ処理装置２は、データ“１２３４”をダイヤル番号とし、出力手段４からプッ、ププッ、プププッ、ププププッといったパルス音として出力する（ステップＡ４およびＡ５）。出力手段４からの確認音出力後、入力手段１からダイヤル発信許可を示す所定のキー入力パターンが入力されると、データ処理装置２は、ダイヤル発信許可が通知されたと判断し、無線装置５を制御してダイヤル発信を実施する（ステップＡ６およびＡ７）。
【００２４】
図５は、本発明の他の実施形態を示すブロック図である。本実施形態では、記憶装置６が、図２に示された実施形態における記憶装置３の構成に加え、メモリダイヤル記憶部３３を有する点で異なる。メモリダイヤル記憶部３３は、登録Ｎｏ．毎に電話番号や名前等を記憶している。
【００２５】
図６は、上記他の実施形態の動作を示すフローチャートである。以下、図５〜図６を参照して本実施形態の動作について説明する。なお、図６のステップＡ１−Ａ７で示される本実施形態におけるコマンド記憶部３１および押下パターン記憶部３２の動作は、図２で示された実施形態における各手段３１および３２の動作と同様であるので、その詳細説明は省略する。
【００２６】
図２に示された実施形態では、パターン検索手段２２は、押下パターン解析手段２１において抽出されたコマンド入力パターンをキーとしてコマンド記憶部３１に同一パターンが記憶されているかどうか検索を実施し、一致するパターンが見つかった場合には、データ処理装置２にて、その後に続くキー押下パターンをダイヤル番号として生成していた。
【００２７】
本実施形態では、パターン検索手段２２で検索した結果、一致するパターンが見つかった場合には、そのコマンドがダイヤル発信コマンドであるか、メモリダイヤル発信コマンドであるかをデータ処理装置２にて区別する（ステップＣ１）。検索した結果、ダイヤル発信コマンドであった場合には、図３に示された実施形態と同様に、その後に続くキー押下パターンをダイヤル番号として生成する（ステップＡ４）。一方、検索された結果がダイヤル発信コマンドではない場合にはメモリダイヤル発信コマンドであると判断し、その後に続くキー押下パターンをメモリダイヤル登録Ｎｏ．とする。
【００２８】
パターン検索手段２２は、抽出されたメモリダイヤル登録Ｎｏ．をキーとして、メモリダイヤル記憶部３３にメモリダイヤルが登録されているかどうか検索を実施する（ステップＣ２）。検索した結果、メモリダイヤル記憶部３３にメモリダイヤルが登録されていなかった場合には、その情報を破棄し、次のコマンドパターンを新たなキーとして再検索を実施する（ステップＣ３）。一方、メモリダイヤルが登録されていた場合には、メモリダイヤル記憶部３３からメモリダイヤル登録Ｎｏ．に該当する電話番号をデータ処理装置５に読み込み、ダイヤル番号を生成する（ステップＡ４）。以降の動作は、図３に示された実施例と同様である（ステップＡ５−Ａ７）。
【００２９】
なお、図６の実施例では、ステップＣ１において、コマンドがダイヤル発信コマンドでない場合には自動的にメモリダイヤル発信コマンドであると判定しているが、コマンドとして、メモリダイヤル発信コマンド用のキー入力パターンを設定しておき、メモリダイヤル発信コマンドであるか否かを判定するステップを設けてもよい。
【００３０】
図７は、本実施形態の具体的実施例を示している。なお、図７の実施例では、コマンドとして、ダイヤル発信コマンド“１”とメモリダイヤル発信コマンド“２”が定義されている。以下、図５〜図７を参照して本実施例の動作を説明する。
【００３１】
押下パターン記憶部３２に記憶されたレベル情報Ｄ２は、押下パターン解析手段２１により、コマンド“２”とデータ“１２”に分離される（ステップＡ１）。パターン検索手段２２は、コマンド“２”をキーとして、コマンド記憶部３１を検索する（ステップＡ２）。検索した結果、コマンド記憶部３１には、コマンド“２”がメモリダイヤル発信というコマンドとして登録されている結果を得る（ステップＡ３およびＣ１）。
【００３２】
パターン検索手段２２は、コマンド“２”に続くデータ“１２”をメモリダイヤル登録Ｎｏ．のキーとして、メモリダイヤル記憶部３３を検索する（ステップＣ２）。検索した結果、メモリダイヤル記憶部３３には、メモリダイヤル登録Ｎｏ．１２には、“１２３４”という電話番号が登録されているという結果を得る（ステップＣ３）。
【００３３】
データ処理装置２は、検索された電話番号“１２３４”を、出力手段４からプッ、ププッ、プププッ、ププププッといったパルス音として出力する（ステップＡ４およびＡ５）。出力手段４からの確認音出力後、入力手段１からダイヤル発信許可を示すキー入力パターン情報が出力されると、データ処理装置は、このキー入力パターン情報により、ダイヤル発信許可が通知されたと判断し、無線装置５を制御してダイヤル発信を実施する（ステップＡ６およびＡ７）。
【００３４】
本実施例では、ダイヤル発信コマンドとメモリダイヤル発信コマンドという２つのコマンドによって動作を分岐させることで、発呼先の電話番号指定方法に２つの方法を利用することができる。
【００３５】
また、本実施例よれば、メモリダイヤル発信コマンドとメモリダイヤル登録Ｎｏ．を入力するだけで、発呼を実行することができる。このため、メモリダイヤルに登録済の電話番号であれば、発呼する際に、キーから入力する情報量を少なくすることができるという新たな効果を有する。
【００３６】
以上、コマンド記憶部３１にダイヤル発信コマンドとメモリダイヤル発信コマンドという２つのコマンドを登録させておく場合について説明したが、コマンド記憶部３１に発呼のためのコマンドを登録させておくだけでなく、例えば、メモリダイヤル登録コマンドを登録しておくことにより、新規のメモリダイヤルを登録する動作をキーボタン１１から実行することもできる。
【００３７】
その他適宜のコマンドを登録しておくことによって、一つのキーボタン１１から入力する情報により、携帯電話機にいくつかの動作を切り替えて実行させるようにすることができる。
【００３８】
なお、上記の実施形態では、キーボタン１１として一つのキーボタンを設けているが、二つのキーボタンを並べて配置し、一方のキーボタンが押下されたときに“Ｈ”または“１”を出力し、他方のキーボタンが押下されたときに“Ｌ”または“０”を出力するように構成して、所望のキー入力パターンを発生するように構成することもできる。
【００３９】
また、上記の実施形態では、折り畳み式の携帯電話機を対象とし、キーボタン１１を携帯電話機の側面に設けた例について説明したが、本発明は、折り畳み式の携帯電話機以外の携帯電話機にも適用可能である。
【００４０】
さらに、キーボタン１１も携帯電話機の任意の位置に設けることが可能であり、例えば、ハンズフリーセットあるいはヘッドセット側に設けることもできる。キーボタン１１がハンズフリーセットあるいはヘッドセット側に設けられていれば、携帯電話機本体は鞄あるいはポケットに収納した状態で、発呼及び通話を行うことが可能となる。
【００４１】
【発明の効果】
本発明は、ダイヤル入力操作可能な一つまたは二つのキーボタンによりダイヤル発呼が可能に構成されているので、携帯電話機の本体をケースやポケットに収納したような状態でも任意の相手に発呼が出来、特に、携帯電話機にハンズフリー装置あるいはヘッドセットをつけた状態のときの発呼においてその効果が顕著である。
【００４２】
また、本発明では、出力手段から確認音を出力し、かつ、入力手段から確認情報を入力することをもって発呼動作に移行させるので、キーボタンが誤って押されてしまったとしても誤発呼されることはなく、キーの誤入力による操作ミスを防止できる。
【図面の簡単な説明】
【図１】本発明の実施形態を示す概略図である。
【図２】本実施形態の構成を示すブロック図である。
【図３】本実施形態の動作を示すフローチャートである。
【図４】本実施形態における動作の具体例を示す図である。
【図５】本発明の他の実施形態を示すブロック図である。
【図６】他の実施形態の動作を示すフローチャートである。
【図７】他の実施形態における動作の具体例を示す図である。
【図８】従来の携帯電話機の例を示す概略図である。
【符号の説明】
１  入力手段
２  データ処理装置
３，６  記憶装置
４  出力手段
５  無線装置
７，８，１０  携帯電話機
１１  キーボタン
２１  押下パターン解析手段
２２  パターン検索手段
３１  コマンド記憶部
３２  押下パターン記憶部
３３  メモリダイヤル記憶部
７０，７１  キー入力部
８０  ハンズフリーセット
８１  キーボタン
【図１】
0004009899.tif 000002
【図２】
0004009899.tif 000003
【図３】
0004009899.tif 000004
【図４】
0004009899.tif 000005
【図５】
0004009899.tif 000006
【図６】
0004009899.tif 000007
【図７】
0004009899.tif 000008
【図８】
0004009899.tif 000009